(57)【特許請求の範囲】
【請求項１】
モータと、
該モータの回転軸に固定された第１のギヤと、
複数の中間ギヤを有し該第１のギヤと噛合するギヤ群と、
軸部材の一端部側に固定され上記ギヤ群と噛合する第２のギヤとを備え、
上記各ギヤが配置空間に配置されており、上記ギヤ群のうちの一のギヤのギヤ軸の一端面を上記軸部材の上記第２のギヤが固定された側の端面を受けるスラスト受部として形成した
ことを特徴とするギヤ装置。
【請求項２】
モータと、
該モータの回転軸に固定された第１のギヤと、
複数の中間ギヤを有し該第１のギヤと噛合するギヤ群と、
軸部材の一端部側に固定され上記ギヤ群と噛合する第２のギヤとを備え、
上記各ギヤが配置空間に配置されており、上記ギヤ群のうちの一のギヤのギヤ軸の一端面を上記軸部材の上記第２のギヤが固定された側の端面を受けるスラスト受部として形成したギヤ装置を備えた記録及び／又は再生装置。
【発明の詳細な説明】
【０００１】
【発明の属する技術分野】
本発明はギヤ装置に関する。詳しくは、ギヤが配置される配置空間の有効利用を図り、ギヤ装置、延いてはギヤ装置を備える装置、例えば、記録再生装置の小型化を図る技術に関する。
【０００２】
【従来の技術】
例えば、記録又は再生、或はこれらの双方が為される記録再生媒体、例えば、ＭＤ（ミニディスク）についての記録、再生を行うＭＤ記録再生装置がある。
【０００３】
ＭＤ記録再生装置にあっては、光学ピックアップやターンテーブル等の所要の部材が配置されているメカシャーシを備え、該メカシャーシには光学ピックアップをターンテーブルに装着されるＭＤの半径方向に移動させるための送り機構が設けられている。
【０００４】
送り機構はモータ及びギヤ配置部に配置された複数のギヤを有して成るギヤ装置を備え、光学ピックアップの移動ベースに設けられたナット部材と螺合する送りねじに複数のギヤのうちの一のギヤが固定され、この送りねじにギヤ群を介してモータの回転力が伝達され、これによりナット部材が送りねじの軸方向、即ち、ＭＤの半径方向に送られて光学ピックアップが移動するようになっている。
【０００５】
このような光学ピックアップの送り機構に設けられたギヤ装置にあっては、モータを小型（薄型）にすることによりＭＤ記録再生装置の薄型化を図るようにしたものがある。そして、小型のモータを使用した場合には、トルクが小さくなるために、モータに固定されたギヤと送りねじに固定されたギヤとの間に介在されるギヤ、例えば、段付ギヤの数を増やして減速比を大きくすることが考えられるが、これらの複数のギヤを全て並列に配置すると、一方向、即ち、ギヤ装置におけるギヤの配列方向の大きさ、延いては、その方向のＭＤ記録再生装置の大きさが必要以上に大きくなってしまう。そこで、ギヤの配列を変えて上記した一方向の大きさが必要以上に大きくならないようにすることが考えられる。
【０００６】
図５にこのようなギヤ装置の概略を示す。
【０００７】
図示しないメカシャーシには支持部材ａが設けられ、該支持部材ａはスラスト受部ｂと開口を有するギヤ配置部ｃとこれらの間を連結する連結部ｄとが一体に形成されて成る。そして、ギヤ配置部ｃの開口はスラスト受部ｂの反対側に形成されており、開口がモータ取付板ｅによって覆われることによって配置空間ｆが形成される。
【０００８】
モータ取付板ｅにはモータｇが取り付けられ、その回転軸ｈの先端に固定されたモータ側ギヤｉが配置空間ｆ内に配置される。
【０００９】
支持部材ａに回転自在に支持される送りねじｊには螺軸部ｋが形成され、該螺軸部ｋが形成されていない部分に送りねじ側ギヤｌが固定されている。そして、送りねじ側ギヤｌが配置空間ｆ内に配置され、送りねじｊの配置空間ｆ内に配置された一端部には配置空間ｆ内に設けられた取付部ｍに取り付けられた予圧バネｎの先端部が弾接されている。これにより送りねじｊにその他端側への移動力が付勢され、送りねじｊの他端が支持部材ａのスラスト受部ｂに当接した状態で支持される。
【００１０】
送りねじｊに固定された送りねじ側ギヤｌは、配置空間ｆ内に配置された中間ギヤｏ、ｐを介してモータ側ギヤｉと噛合されている。そして、送りねじ側ギヤｌとこれに噛合する中間ギヤｏ、モータ側ギヤｉとこれに噛合する中間ギヤｐ、中間ギヤｏと中間ギヤｐはそれぞれ図５に示すＭＤ記録再生装置のＸ方向（ＭＤ記録再生装置の厚み方向と直交する方向である縦方向又は横方向を示す。）に並ぶように位置され、かつ、送りねじ側ギヤｌと中間ギヤｐ、モータ側ギヤｉと中間ギヤｏはそれぞれ図５に示すＹ方向（ＭＤ記録再生装置の厚み方向と直交し、かつ、Ｘ方向と直交する方向）に位置するように配置されている。
【００１１】
各ギヤｉ、ｌ、ｏ、ｐをこのように配置することで、モータｇを小型（薄型）にしてＭＤ記録再生装置の薄型化を図ったときに、減速比を大きくするためにギヤの数を増やしても、ＭＤ記録再生装置の縦方向又は横方向（Ｘ方向又はＹ方向）の何れか一方のみが必要以上に大きくならないようにしている。
【００１２】
尚、送りねじｊの螺軸部ｋには図示しない光学ピックアップの移動ベースに設けられたナット部材が螺合され、モータｇの回転により送りねじｊが回転され、これによりナット部材が送りねじｊの軸方向、即ち、ＭＤの半径方向に送られて光学ピックアップが移動される。
【００１３】
【発明が解決しようとする課題】
ところで、上記したギヤ装置にあっては、装置の厚みは小さくできるが、複数のギヤｉ、ｌ、ｏ、ｐが配置されている狭い空間である配置空間ｆ内に取付部ｍとそれに取り付けられる予圧バネｎとが設けられており、取付部ｍに予圧バネｎを取り付ける作業の作業性が悪いといった問題がある。
【００１４】
また、狭い配置空間ｆ内に予圧バネｎが配置されるため、予圧バネｎを配置する分ギヤの大きさが制約され高い減速比を得るのに支障を来してしまう。
【００１５】
そこで、本発明ギヤ装置及び該ギヤ装置を備えた記録及び／又は再生装置は、上記した問題点を克服し、ギヤが配置される配置空間の有効利用を図りギヤ装置、延いてはギヤ装置を備える装置、例えば、記録再生装置の小型化を図ることを課題とする。
【００１６】
【課題を解決するための手段】
本発明ギヤ装置は、上記した課題を解決するために、モータと、該モータの回転軸に固定された第１のギヤと、複数の中間ギヤを有し該第１のギヤと噛合するギヤ群と、軸部材の一端部側に固定され上記ギヤ群と噛合する第２のギヤとを備え、上記各ギヤが配置空間に配置されており、上記ギヤ群のうちの一のギヤのギヤ軸の一端面を上記軸部材の上記第２のギヤが固定された側の端面を受けるスラスト受部として形成したものである。そして、本発明記録及び／又は再生装置は、このようなギヤ装置を備えたものである。
【００１７】
従って、本発明ギヤ装置及び該ギヤ装置を備えた記録及び／又は再生装置は、ギヤが配置される配置空間の有効利用を図ることができる。
【００１８】
【発明の実施の形態】
以下に、本発明ギヤ装置及び該ギヤ装置を備えた記録及び／又は再生装置の実施の形態を添付図面を参照して説明する。尚、以下に示した実施の形態は、本発明を携帯型のＭＤ（ミニディスク）再生装置に適用したものである。
【００１９】
尚、本明細書においては、図１における矢印Ｆで示す方向を前、矢印Ｂで示す方向を後、矢印Ｒで示す方向を右、矢印Ｌで示す方向を左として説明をする。
【００２０】
ＭＤ再生装置の図示しない外筐内には平面形状で矩形状のメカシャーシ１が支持されており、該メカシャーシ１には図示しないターンテーブル、光学ピックアップ２、該光学ピックアップ２をターンテーブルに装着されるＭＤの半径方向に移動させる送り機構３等が配置されている（図１参照）。
【００２１】
メカシャーシ１の一部には開口１ａが形成されており、該開口１ａの両側縁部の下面側には光学ピックアップ２の移動時にこれをガイドする左右方向に延びるガイド軸４、４が設けられている。そして、ガイド軸４、４には光学ピックアップ２の前後両端部に形成された被支持部が摺動自在に支持されている。
【００２２】
送り機構３がメカシャーシ１の下面の後端部に設けられており（図１参照）、該送り機構３は上記したガイド軸４、４を含むものであり、支持部材５と送りねじ６とモータ取付板７とギヤ装置８とを備えている（図２参照）。
【００２３】
支持部材５はその左端部に形成されたバネ支持部９と右端部に形成されたギヤ配置部１０とこれらの間を連結する左右方向に長い連結部１１とが一体に形成されて成り、ギヤ配置部１０は右方及び下方が開口されている。そして、バネ支持部９とギヤ配置部１０の前端部はそれぞれ稍前方に突出して形成され、これらの間を上記一方のガイド軸４が架け渡すように位置されている。
【００２４】
バネ支持部９には送りねじ６の一端部が貫通される支持孔９ａが形成されている（図４参照）。また、ギヤ配置部１０には上方に開口され送りねじ６の他端側の部分が支持される軸受溝１０ａが形成され、後面には係止突起１０ｂが形成されている（図４参照）。
【００２５】
バネ支持部９の上面側には予圧バネ１２が支持されており、該予圧バネ１２には送りネジ６をスラスト方向に弾発的に押圧する予圧部１２ａが形成されている（図２参照）。
【００２６】
送りねじ６は左右両端部がその余の部分である中間部１３より稍細径に形成され、中間部１３の両端部を除いた部分は螺溝が形成された螺軸部１３ａとされている。そして、送りねじ６は左端部が支持部材５の支持孔９ａを貫通され、中間部１３の右端部が支持部材５の軸受溝１０ａに支持され、支持部材５にその連結部１１に沿って延びるようにして支持されている（図４参照）。また、送りねじ６は、支持部材５に支持された状態において予圧バネ１２の予圧部１２ａの先端部が送りネジ６の左端に弾接されるようになっており、これによって送りネジ６には右方への移動力が付勢されている。
【００２７】
また、送りねじ６の螺軸部１３ａには上記光学ピックアップ２の移動ベースに設けられた板バネ材料から成るナット部材２ａの係合突条が上方から弾発的に係合されている。
【００２８】
上記のように、送りねじ６はその中間部１３の右端部が上方に開口された軸受溝１０ａに回転自在に支持されるが、ナット部材２ａの係合突条が送りねじ６に対し上方から弾発的に係合されているため、送りねじ６は常に下方へ押圧され軸受溝１０ａに押し付けられた状態とされており、これにより送りねじ６が支持部材５から脱落してしまうようなことがない。
【００２９】
従って、支持部材５の軸受溝１０ａが上方に開口して形成されているため、軸受溝１０ａの左右方向の長さ分ナット部材２ａの左右方向における移動量、延いては、光学ピックアップ２の移動量を大きくすることができ、これにより支持部材５の左右方向における長さを短くすることが可能であり、延いては、ＭＤ記録再生装置の小型化に寄与する。
【００３０】
モータ取付板７は水平断面形状で見て前端部のＬ字状を為す被支持部１４と該被支持部１４に連続し前後方向に延びるモータ取付部１５と該モータ取付部１５の後端に連続し左右方向に延びる係合部１６とから成る（図２及び図３参照）。そして、被支持部１４の前端部にはネジ挿通孔１４ａが形成され、モータ取付部１５の前後方向における中央から稍後方に寄った位置には軸挿通孔１５ａが形成され、係合部１６の左端部には係合孔１６ａが形成されている。
【００３１】
しかして、モータ取付板７は係合部１６の係合孔１６ａに支持部材５の係止突起１０ｂを係合させ、それから被支持部１４のネジ挿通孔１４ａに挿通された取付ネジ１７をギヤ配置部１０に螺着することにより支持部材５に取り付けられる。
【００３２】
このように、モータ取付板７の支持部材５への取り付けは、係合孔１６ａと係止突起１０ｂとを係合させ、被支持部１４のネジ挿通孔１４ａに挿通した取付ネジ１７をギヤ配置部１０に螺着するだけで行われるため、取付作業が極めて簡単である。
【００３３】
上記のようにモータ取付板７が支持部材５に取り付けられることにより、ギヤ配置部１０の右側の開口がモータ取付板７のモータ取付部１５によって覆われ、ここに配置空間１８が形成される。
【００３４】
ギヤ装置８はモータ取付板７に取り付けられたモータ１９と配置空間１８内に配置された複数のギヤとを備えている（図２及び図３参照）。
【００３５】
モータ取付板７のモータ取付部１５にはモータ１９がその回転軸１９ａが軸挿通孔１５ａを挿通された状態で取り付けられ、回転軸１９ａの先端部に固定された第１のギヤ２０が配置空間１８内に配置される。
【００３６】
モータ取付部１５の前端部にはギヤ軸２１の右端部が固定されており、該ギヤ軸２１には段付ギヤ（２段ギヤ）として形成された中間ギヤ２２が支持されている。そして、中間ギヤ２２の大径部２２ａと第１のギヤ２０とが噛合されている。
【００３７】
配置空間１８内には第１のギヤ２０の左方に段付ギヤ（２段ギヤ）として形成された中間ギヤ２３が配置されており、該中間ギヤ２３の大径部２３ａが中間ギヤ２２の小径部２２ｂと噛合されている。
【００３８】
上記送りねじ６の右端部には第２のギヤ２４が固定されており、該第２のギヤ２４が配置空間１８内において中間ギヤ２２の左方に配置されている。そして、第２のギヤ２４は中間ギヤ２３の小径部２３ｂに噛合されている。
【００３９】
第２のギヤ２４の右端面の中心には半球状を為す当接突起２４ａが右方に向けて突設されており、上記したように送りねじ６に予圧バネ１２の弾接による右方への移動力が付勢されているため、該当接突起２４ａが中間ギヤ２２のギヤ軸２１の左端面、即ち、軸頭２１ａの端面に当接され、これにより送りねじ６の右端部が第２のギヤ２４に設けられた当接突起２４ａを介してギヤ軸２１の軸頭２１ａに支持される。即ち、ギヤ軸２１の軸頭２１ａの端面は送りねじ６のスラスト受部として形成される。
【００４０】
上記のようにモータ１９の回転軸１９ａに固定された第１のギヤ２０と送りねじ６に固定された第２のギヤ２４とは２つの段付ギヤ、即ち、中間ギヤ２２、２３から成るギヤ群２５を介して噛合されており、これにより高い減速比が得られている。
【００４１】
しかして、モータ１９が回転されるとその回転力が第１のギヤ２０、ギヤ群２５、第２のギヤ２４の順に伝達され、第２のギヤ２４が固定された送りねじ６を軸回り方向に回転させる。そして、送りねじ６が回転されると、その回転方向に応じて螺軸部１３ａに係合されたナット部材２ａが左方又は右方に送られ、これにより光学ピックアップ２がＭＤの半径方向に移動される。
【００４２】
上記したギヤ装置８にあっては、ギヤ軸２１の軸頭２１ａの端面が送りねじ６のスラスト受部として形成されているので、配置空間１８を有効に利用することができ、ギヤの大きさが制約されにくいため高い減速比を得ることが可能であり、これによりモータ１９を薄型にしてＭＤ記録再生装置の薄型化を図ることができる。
【００４３】
また、配置空間１８内に送りねじ６の右端部を受けるスラスト受部、即ち、ギヤ軸２１の軸頭２１ａを有しているため、送りねじ６の左端部側に送りねじ６に移動力を付勢する予圧バネ１２を配置することができ、モータ１９を薄型にして配置空間１８内に配置するギヤの数を増やした場合においても、狭い空間である配置空間１８内に予圧バネ１２を取り付ける取付作業が不要となる。
【００４４】
従って、作業性の低下を来すことなくモータ１９の薄型によるＭＤ記録再生装置の薄型化を図ることができる。
【００４５】
【発明の効果】
以上に記載したところから明らかなように、本発明ギヤ装置及び該ギヤ装置を備えた記録及び／又は再生装置は、モータと、該モータの回転軸に固定された第１のギヤと、複数の中間ギヤを有し該第１のギヤと噛合するギヤ群と、軸部材の一端部側に固定され上記ギヤ群と噛合する第２のギヤとを備え、上記各ギヤが配置空間に配置されており、上記ギヤ群のうちの一のギヤのギヤ軸の一端面を上記軸部材の上記第２のギヤが固定された側の端面を受けるスラスト受部として形成したので、各ギヤが配置される配置空間を有効に利用することができ、ギヤの大きさが制約されにくいため高い減速比を得ることが可能であり、これによりモータを薄型にしてギヤ装置、延いてはギヤ装置を備える装置、例えば、記録再生装置の薄型化を図ることができる。
【００４６】
また、ギヤが配置される配置空間に送りねじの一端部を受けるスラスト受部、即ち、ギヤ軸の端面を有しているため、送りねじの他端部側に送りねじに移動力を付勢する予圧バネを配置することができ、モータを薄型にしてギヤが配置される配置空間に配置するギヤの数を増やした場合においても、狭い配置空間であるギヤが配置される配置空間に予圧バネを取り付ける取付作業が不要となる。
【００４７】
従って、作業性の低下を来すことなくモータの薄型によるギヤ装置を備える装置、例えば、記録再生装置の薄型化を図ることができる。
【００４８】
尚、上記した実施の形態において示した各部の具体的な形状及び構造は、何れも本発明を実施するに際しての具体化のほんの一例を示したものにすぎず、これらによって本発明の技術的範囲が限定的に解釈されることがあってはならないものである。
【図面の簡単な説明】
【図１】  図２乃至図４と共に本発明ギヤ装置及び該ギヤ装置を備えた記録及び／又は再生装置の実施の形態を示すものであり、本図はメカシャーシとこれに設けられた送り機構とを示す底面図である。
【図２】  送り機構の要部を一部を断面にして示す拡大底面図である。
【図３】  ギヤ装置を一部を断面にして示す拡大底面図である。
【図４】  ギヤ、予圧バネ及びモータ取付板を省略した図２のＩＶ−ＩＶ線に沿う断面図である。
【図５】  予圧バネが配置空間に配置されたギヤ装置を示す拡大断面図である。
【符号の説明】
６…送りねじ（軸部材）、８…ギヤ装置、１８…配置空間、１９…モータ、１９ａ…回転軸、２０…第１のギヤ、２１…ギヤ軸、２１ａ…軸頭（スラスト受部）、２２…中間ギヤ、２３…中間ギヤ、２４…第２のギヤ、２５…ギヤ群
【図１】
0003906523.tif 000002
【図２】
0003906523.tif 000003
【図３】
0003906523.tif 000004
【図４】
0003906523.tif 000005
【図５】
0003906523.tif 000006